(57)【特許請求の範囲】
【請求項１】
下方が開口され内部に光源が収容された器具本体と、枠体及びこの枠体の開口部を当該枠体の内面側から塞ぐ透光板を有し、前記器具本体の開口部を塞ぐことが可能な前面カバーと、前記前面カバーの前記透光板の内面周縁に配置されたパッキンと、前記枠体に設けられ、前記パッキンを押えるパッキン押え金具とを備え、前記前面カバーは、前記器具本体にヒンジを介して回転可能に支持されているとともに、前記器具本体の開口部を閉鎖した状態でラッチ式固定具により当該器具本体に係止される照明器具において、
前記ラッチ式固定具は、
前記パッキン押え金具に一体形成された軸受片と、
前記器具本体に設けられた係止片に係合可能な係止爪を有するとともに、前記軸受片に支持軸を介して支持され、前記係止爪が前記係止片に係合する係合位置と、前記係止爪が前記係止片から外れる解除位置とに回転可能な掛け金と、
前記掛け金に設けられ、前記枠体に設けられた開口または切欠きを通じて当該照明器具の外部に臨むプッシュ部と、
前記掛け金を前記係合位置側に付勢する板ばねとを備え、
前記前面カバーが前記器具本体の開口部を閉鎖する位置にあるときに、前記掛け金の係止爪が前記器具本体の係止片に係合して当該前面カバーが器具本体に係止され、この係合状態から前記プッシュ部が前記板ばねの弾性力に抗して押されることにより、前記掛け金が回転して前記係止爪が前記係止片から外れるように構成されていることを特徴とする照明器具。
【発明の詳細な説明】
【技術分野】
【０００１】
本発明は、室内照明や鉄道車輌の車内照明などの各種照明に用いられる照明器具に関し、さらに詳しくは、天井直付け式や吊り下げ式の照明器具に関する。
【背景技術】
【０００２】
室内照明や鉄道車輌の車内照明などに用いられる照明器具としては、従来、白熱電球や蛍光灯などを光源とする照明器具が一般に使用されている。また、近年では、白熱電球や蛍光灯などに替えて、ＬＥＤ（発光ダイオード：Ｌｉｇｈｔ−Ｅｍｉｔｔｉｎｇ  Ｄｉｏｄｅ）を光源とするＬＥＤ照明器具も実用化されている。
【０００３】
鉄道車輌の車内照明などに用いられる照明器具としては、天井直付け式や吊り下げ式のものがある。天井直付け式や吊り下げ式の照明器具にあっては、下面側が開口された器具本体の内部にＬＥＤ光源ユニットを収容し、その器具本体の開口部を前面カバーによって塞ぐ構造のものがある。
【０００４】
このような構造の照明器具においては、従来、前面カバーを器具本体にねじ止めにて取り付けている。このため、照明器具の点検・清掃等を行う場合、器具本体にねじ止めしている前面カバーのねじを外すか、あるいは、天井から器具全体を取り外して前面カバーを外す等の作業を行う必要があり、その作業時において、取り外したねじの落下や、前面カバーの落下が懸念される。さらに、点検・清掃等の作業を１人で行うことができず、また作業に多くの時間を要する。
【０００５】
このような点を解消するものとして、特許文献１に記載の照明器具がある。この特許文献１に記載の照明器具にあっては、器具本体の一辺に前面カバーをヒンジを介して保持するとともに、器具本体及び前面カバーの他辺には当該前面カバーを器具本体に固定（係止）するラッチ機構（ラッチ式固定具）を設けている。
【０００６】
この構造の照明器具では、ラッチ機構の操作部を押し込むことにより、前面カバーを開放（器具本体の内部を開放）をワンタッチで行うことができるので、点検・清掃等においてねじの取り外しやねじ止め作業を無くすことができる。また、前面カバーが器具本体にヒンジを介して保持されているので、前面カバーを開いた際には、前面カバーが器具本体にぶら下がった状態となるので、前面カバーの落下のおそれもない。
【先行技術文献】
【特許文献】
【０００７】
【特許文献１】特開２００３−０３６７２１号公報
【発明の概要】
【発明が解決しようとする課題】
【０００８】
ところで、上記特許文献１に記載の照明器具では、ラッチ式固定具が、軸受部を有するベース金具、このベース金具に軸を介して回転可能に連結されたラッチ金具、及び、ラッチ金具を付勢する２つのねじりコイルばねなどによって構成されているため、部品点数及び組立工数がどうしても多くなる。また、ベース金具の両端の軸受部に軸を、当該軸に２つのねじりコイルばねを通した状態で組み付ける作業、及び、２つのねじりコイルばねを同時に圧縮した状態でラッチ金具をベース金具に組み付ける作業が容易ではない。
【０００９】
本発明はそのような実情を考慮してなされたもので、前面カバーを器具本体に固定するラッチ式固定具の部品点数及び組立工数を少なくすることが可能な構造の照明器具を提供することを目的とする。
【課題を解決するための手段】
【００１０】
本発明の照明器具は、下方が開口され内部に光源が収容された器具本体と、枠体及びこの枠体の開口部を当該枠体の内面側から塞ぐ透光板を有し、前記器具本体の開口部を塞ぐことが可能な前面カバーと、前記前面カバーの前記透光板の内面周縁に配置されたパッキンと、前記枠体に設けられ、前記パッキンを押えるパッキン押え金具とを備え、前記前面カバーは、前記器具本体にヒンジを介して回転可能に支持されているとともに、前記器具本体の開口部を閉鎖した状態でラッチ式固定具により当該器具本体に係止される照明器具を前提としている。
【００１１】
そして、このような照明器具において、前記ラッチ式固定具は、前記パッキン押え金具に一体形成された軸受片と、前記器具本体に設けられた係止片に係合可能な係止爪を有するとともに、前記軸受片に支持軸を介して支持され、前記係止爪が前記係止片に係合する係合位置と、前記係止爪が前記係止片から外れる解除位置とに回転可能な掛け金と、前記掛け金に設けられ、前記枠体に設けられた開口または切欠きを通じて当該照明器具の外部に臨むプッシュ部と、前記掛け金を前記係合位置側に付勢する板ばねとを備え、前記前面カバーが前記器具本体の開口部を閉鎖する位置にあるときに、前記掛け金の係止爪が前記器具本体の係止片に係合して当該前面カバーが器具本体に係止され、この係合状態から前記プッシュ部が前記板ばねの弾性力に抗して押されることにより、前記掛け金が回転して前記係止爪が前記係止片から外れるように構成されていることを特徴としている。
【００１２】
本発明の照明器具によれば、ラッチ式固定具の掛け金を支持する軸受片をパッキン押え金具に一体形成しているので、上記したベース金具及びその取り付け作業が不要になる。さらに、掛け金を付勢する弾性体として板ばねを用いることにより、１つの掛け金に対し弾性体の数を１つとすることができるので、上記した特許文献１に記載されたものと比べて、ラッチ式固定具の部品点数及び組立工数を少なくすることができる。
【００１３】
しかも、板ばねは、掛け金を支持する支持軸とは個別に取り付けることが可能であるので、上記した特許文献１の構造（２つのねじりコイルばねに軸を通した状態で軸受片に組み付ける構造）と比べて組立作業が容易である。
【００１４】
さらに、本発明の照明器具では、点検・清掃等の作業時において、ねじの取り外しやねじ止め作業を無くすことができるので、点検・清掃等の作業を１人で行うことができるという利点もある。
【発明の効果】
【００１５】
本発明の照明器具によれば、前面カバーを器具本体に固定するラッチ式固定具の部品点数及び組立工数を少なくすることができる。
【図面の簡単な説明】
【００１６】
【図１】本発明の照明器具の一例を示す斜視図である。なお、図１は照明器具を斜め下方から見た図である。
【図２】本発明の照明器具の一例を示す斜視図である。なお、図２は照明器具を斜め上方から見た図である。
【図３】図１の照明器具の縦断面図である。なお、図３では前面カバーを閉じた状態を示している。
【図４】図１の照明器具の縦断面図である。なお、図４では前面カバーを開いた状態を示している。
【図５】パッキン押え金具の周辺構造を示す断面図である。
【図６】パッキン押え金具の周辺構造を示す断面図である。
【図７】パッキン押え金具の斜視図である。
【図８】図１の照明器具の要部構造を示す斜視図である。
【図９】図１の照明器具の要部構造を示す斜視図である。
【図１０】ラッチ式固定具の前面カバー側の構造を示す分解斜視図である。
【図１１】ラッチ式固定具にて前面カバーを器具本体に固定している状態を示す要部断面図である。
【図１２】ラッチ式固定具による固定を解除した状態を示す要部断面図である。
【発明を実施するための形態】
【００１７】
以下、本発明の実施形態を図面に基づいて説明する。
【００１８】
図１〜図１２は本発明の照明機器の実施形態を示す図である。
【００１９】
本実施形態の照明器具１００は、例えば、鉄道車輌の車内照明に用いられる天井直付け式のＬＥＤ照明器具であって、器具本体１、前面カバー２、反射板３、複数のＬＥＤ光源ユニット４・・４、２つのラッチ式固定具５，５、２つのヒンジ６，６、及び、駆動回路ユニット７などを備えている。
【００２０】
なお、以下の説明では、照明器具１００（器具本体１）の長手方向を単に「長手方向」と言い、照明器具１００（器具本体１）の短手方向を単位に「短手方向」と言う。
【００２１】
器具本体１は、平面形状が矩形の長尺状の部材であって、断面台形状の中央突出部１１と、その中央突出部１１の両端（短手方向の両端）の水平部１２，１２とが一体形成されている。器具本体１は下方のみが開放されており、その開口部１ａが前面カバー２によって塞がれる。器具本体１の各水平部１２の端部（短手方向の端部）にはそれぞれ垂下壁１３，１３が一体形成されている。
【００２２】
器具本体１の内部には反射板３が取り付けられている。反射板３は長手方向に沿って延びる部材であって、中央の水平板３１と、その水平板３１の短手方向の両端からそれぞれ下方に傾斜する傾斜板３２とが一体形成されている。反射板３の水平板３１の前面（下面）には複数のＬＥＤ光源ユニット４・・４が取り付けられている。これら複数のＬＥＤ光源ユニット４・・４は、例えば、長手方向に４列、短手方向に２列の形態で配置されている。
【００２３】
各ＬＥＤ光源ユニット４は、ＬＥＤ基板４１、及び、そのＬＥＤ基板４１の前面（下面）に実装された複数のＬＥＤ４２・・４２などによって構成されている。ＬＥＤ基板４１は、例えば、ガラス繊維強化エポキシ樹脂等の基材の表面に所定の導体パターンが形成された一般的なプリント配線基板やアルミニウム基材の配線基板である。
【００２４】
光源であるＬＥＤ４２は表面実装型やＣＯＢ（チップオンボード）タイプの白色ＬＥＤであって、上記ＬＥＤ基板４１上に表面実装にて実装されている。白色ＬＥＤとしては、例えば、青色ＬＥＤと、その青色ＬＥＤ素子の出力光（青色）によって黄色に発光する黄色蛍光体（例えばＹＡＧ蛍光体）などを組み合わせたものであってもよいし、青色ＬＥＤ素子、緑色ＬＥＤ素子及び赤色ＬＥＤ素子が樹脂で一体的にモールドされ、それら青色・緑色・赤色の３色を混色して白色の光を発光する、いわゆる３ｉｎ１タイプのマルチチップＬＥＤであってもよい。
【００２５】
反射板３の水平板３１の背面側（器具本体１の中央突出部１１の内部）には駆動回路ユニット７が収容されており、この駆動回路ユニット７に各ＬＥＤ光源ユニット４が配線（図示せず）等を介して接続されている。駆動回路ユニット７には、例えばＬＥＤ駆動回路及び調光回路などが組み込まれている。
【００２６】
前面カバー２は、枠体２１、２つの側板２２，２２、透光板２３、パッキン２４、パッキン押え金具２５、及び，パッキン押え金具２６，２７，２８などによって構成されている。
【００２７】
前面カバー２は、器具本体１の一辺（長手方向に沿う一辺）に２つのヒンジ６，６を介して器具本体１に回転可能に保持されており、前面カバー２を、器具本体１の開口部1ａを塞ぐ位置（閉鎖位置：図３に示す位置）と、器具本体１の内部を開放する位置（開放位置：前面カバー２が図４よりも開いた位置）とに配置することができる。そして、このように前面カバー２の一辺を器具本体１の一辺にヒンジ６，６を介して保持することにより、前面カバー２を開放した際には、当該前面カバー２は器具本体１にヒンジ６，６を介してぶら下がった状態となるので、前面カバー２が落下するおそれはない。
【００２８】
前面カバー２の枠体２１は、例えば押出成形品であって、長手方向に延びる前面壁２１ａと、その前面壁２１ａの短手方向の端部からそれぞれ斜め上方に延びる傾斜壁２１ｂ，２１ｂとが一体形成された部材である。枠体２１の長手方向の両端の開口部（図示せず）はそれぞれ側板２２，２２によって塞がれている。
【００２９】
枠体２１の前面壁２１ａには、各ＬＥＤ光源ユニット４のＬＥＤ４２からの光の通過用の開口部（窓部）２ａが開口されている。前面壁２１ａの内面（背面）には矩形の透光板（例えば、ガラス板）２３が配置されており、この透光板２３によって開口部２ａが塞がれている。透光板２３の上面周縁には断面矩形の環状のパッキン２４が配置されている。パッキン２４は、後述するパッキン押え金具２５及びパッキン押え金具２６，２７，２８などによって透光板２３に向けて押圧される。
【００３０】
枠体２１の両端部の傾斜壁２１ｂ，２１ｂには、それぞれ、長手方向に延びる水平壁２１ｃが一体形成されている。図５に示すように、一方の傾斜壁２１ｂの水平壁２１ｃにはパッキン押え金具２５がねじ止めによって固定されている。このパッキン押え金具２５は、水平壁２１ｃにねじ止めされる取付片２５ａと、パッキン２４を押える垂下片２５ｂとが一体形成されている。
【００３１】
また、他方の傾斜壁２１ｂの水平壁２１ｃには、長手方向の一端側と他端側とに位置するパッキン押え金具２７，２８、及び、これら２つのパッキン押え金具２７，２８の中間に位置するパッキン押え金具２６がねじ止めによって固定されている。
【００３２】
これら３つのパッキン押え金具２６，２７，２８のうち、中間に位置するパッキン押え金具２６は、図６及び図７に示すように、水平壁２１ｃにねじ止めされる取付片２６ａと、パッキン２４を押える垂下片２６ｂとが一体形成されている。また、中間のパッキン押え金具２６の取付片２６ａの両端には、それぞれ、当該取付片２６ａに対して垂直（上方）に延びる軸受片５４，５４が一体形成されている。各軸受片５４，５４にそれぞれ軸受孔（貫通孔）５４ａが設けられている。
【００３３】
一端側のパッキン押え金具２７は、図６及び図７に示すように、水平壁２１ｃにねじ止めされる取付片２７ａと、パッキン２４を押える垂下片２７ｂとが一体形成されている。また、一端側のパッキン押え金具２７の取付片２７ａの他端には、当該取付片２７ａに対して垂直（上方）に延びる軸受片５４が一体形成されており、この軸受片５４に軸受孔（貫通孔）５４ａが設けられている。
【００３４】
他端側のパッキン押え金具２８は、図６及び図７に示すように、水平壁２１ｃにねじ止めされる取付片２８ａと、パッキン２４を押える垂下片２８ｂとが一体形成されている。また、他端側のパッキン押え金具２８の取付片２８ａの一端には、当該取付片２８ａに対して垂直（上方）に延びる軸受片５４が一体形成されており、この軸受片５４に軸受孔（貫通孔）５４ａが設けられている。
【００３５】
そして、以上の３つのパッキン押え金具２６，２７，２８を水平壁２１ｃに取り付けた状態で、図７に示すように、中間のパッキン押え金具２６の一端の軸受片５４と、一端側のパッキン押え金具２７の他端の軸受片５４とは、所定の間隔（後述する、掛け金５１の両端の支持片５１ｅ，５１ｅの外面間の距離よりも所定量だけ大きい間隔）を隔てて互いに対向するとともに、その中間のパッキン押え金具２６の一端の軸受片５４の軸受孔５４ａの中心と、一端側のパッキン押え金具２７の他端の軸受片５４の軸受孔５４ａの中心とが一致するようになっている。
【００３６】
また、同様に、中間のパッキン押え金具２６の他端の軸受片５４と、他端側のパッキン押え金具２８の一端の軸受片５４とは、所定の間隔（後述する、掛け金５１の両端の支持片５１ｅ，５１ｅの外面間の距離よりも所定量だけ大きい間隔）を隔てて互いに対向するとともに、その中間のパッキン押え金具２６の一端の軸受片５４の軸受孔５４ａの中心と、他端側のパッキン押え金具２８の他端の軸受片５４の軸受孔５４ａの中心とが一致するようになっている。
【００３７】
−ラッチ式固定具−
次に、本実施形態の特徴部分であるラッチ式固定具５の詳細について図３、図４及び図８〜図１２を参照して説明する。
【００３８】
ラッチ式固定具５は照明器具１００の他辺（ヒンジ６，６が設けられた一辺とは反対側の辺）の２箇所に設けられている。これら２つのラッチ式固定具５は同じ構造であるので、一方のラッチ式固定具５（図２の右側に位置するラッチ式固定具５）についてのみ説明し、他方のラッチ式固定具５（図２の左側に位置するラッチ式固定具５）の詳細な説明は省略する。
【００３９】
ラッチ式固定具５は、掛け金５１、プッシュ板５２、支持軸５３、上記した軸受片５４，５４、板ばね５５、及び、係止片５６などによって構成されている。
【００４０】
掛け金５１は、鋼板を折り曲げ加工した部材であって、横片５１ａ、この横片５１ａの一端から斜め上方に延びる傾斜片５１ｂ、横片５１ａの他端から上方に垂直に延びる縦片５１ｃ、縦片５１ｃの上部に設けられた断面形状が略Ｖ字状の係止爪５１ｄ、及び、縦片５１ｃの両端（長手方向の両端）に設けられた一対の支持片５１ｅ，５１ｅが一体形成されている。一対の支持片５１ｅ，５１ｅは、それぞれ縦片５１ｃに対して略直角に折り曲げられた部材であり、互いに対向している。掛け金５１には、板ばね５５との干渉を避けるための開口部５０が設けられている。なお、傾斜片５１ｂの横片５１ａに対する傾斜角度は、枠体２の傾斜壁２１ｂの傾斜角度（水平面に対する傾斜角度）と略等しい。
【００４１】
掛け金５１の傾斜片５１ｂの外面（前面）には、矩形のプッシュ板５２がねじ止めにより取り付けられている。プッシュ板５２の中央部には前面側に突出する矩形のプッシュ部５２ａが設けられている。図１０〜図１２等に示すように、枠体２１の傾斜壁２１ｂには、プッシュ部５２ａに対応する位置（ラッチ式固定具５を組み付けた状態でのプッシュ部５２ａに対応する位置）に切欠き２１１ｂが設けられており、この切欠き２１１ｂを通じてプッシュ部５２ａが枠体２１（照明器具１００）の外側に臨むようになっている。なお、このような切欠き２１１ｂに替えて、枠体２１の傾斜壁２１ｂに矩形の開口部を設け、その開口部を通じてプッシュ部５２ａが照明器具１００の外側に臨むようにしてもよい。
【００４２】
掛け金５１の両端（縦片５１ｃの両端）に設けられた一対の支持片５１ｅ，５１ｅにはそれぞれ軸孔（貫通孔）５１ｆが設けられている。それら一対の軸孔５１ｆ，５１ｆの中心は一致している。ここで、掛け金５１の一端に設けられた支持片５１ｅと他端に設けられた支持片５１ｅとの距離（外面間の距離）は、一対の軸受片５４，５４間の距離（上記した中間のパッキン押え金具２６の一端の軸受片５４と、一端側のパッキン押え金具２７の他端の軸受片５４との間の距離（内面間の距離））よりも所定量だけ小さく設定されている。これにより、掛け金５１の一対の支持片５１ｅ，５１ｅを、一対の軸受片５４，５４間に配置することができる。
【００４３】
板ばね５５は、ばね鋼板をＬ字状に折り曲げ加工した部材であって、枠体２１の他方の傾斜壁２１ｂの水平壁２１ｃにねじ止めされる取付板５５ａと、この取付板５５ａに対して略直角に折り曲げられた押圧板５５ｂとが一体形成されている。板ばね５５の長手方向の幅は、上記した掛け金５１の開口部５０の幅よりも小さい。
【００４４】
以上の掛け金５１及び板ばね５５は前面カバー２に組み付けられる。具体的には、図９及び図１０等に示すように、板ばね５５を、枠体２１の水平壁２１ｃ上で、かつ、上記した一対の軸受片５４，５４間の中央位置に配置した状態で、当該板ばね５５の取付板５５ａを水平壁２１ｃにねじ止めすることにより板ばね５５を組み付ける。次に、枠体２１に取り付けられている一対の軸受片５４，５４の間に、掛け金５１をその縦片５１ｃが板ばね５５の押圧板５５ｂ側に向くように（傾斜片５１ｂが枠体２１の傾斜壁２１ｂに向くように）配置するとともに、掛け金５１の両端の支持片５１ｅ，５１ｅの各軸孔５１ｆと、一対の軸受片５４，５４の各軸受孔５４ａとを位置合せする。この状態で、他方の軸受片５４の軸受孔５４ａ及び支持片５１ｅの軸孔５１ｆに支持軸５３を通し、さらに支持軸５３を一方の支持片５１ｅの軸孔５１ｆ及び軸受片５４の軸受孔５４ａに通した後に、支持軸５３の両端部の雄ねじ５３ａ，５３ａにそれぞれナット５３ｂをねじ込む、という作業により掛け金５１を前面カバー２に組み付ける。
【００４５】
このような組付状態で、掛け金５１が支持軸５３を中心として、係止爪５１ｄが後述する係止片５６に係合する係合位置（図１１等に示す位置）と、係止爪５１ｄが係止片５６から外れる解除位置（図１２等に示す位置）に回転可能であり、掛け金５１に外力が作用していない状態では、板ばね５５の弾性力によって掛け金５１が前側（傾斜壁２１ｂ側）に付勢（掛け金５１の係止爪５１ｄが係合位置側に付勢）されており、プッシュ板５２の前面５２ｂ，５２ｂ（プッシュ部５２ａの両側の前面）が枠体２１の傾斜壁２１ｂの内面に当接するとともに、プッシュ部５２ａが、枠体２１の切欠き２１１ｂに嵌り込んでいる（図１１）。なお、上記したように、掛け金５１には開口部５０が設けられており、掛け金５１の回転過程において当該掛け金５１と板ばね５５とが干渉することはない。
【００４６】
一方、係止片５６は器具本体１に組み付けられている。具体的には、図８、図１１、図１２等に示すように、器具本体１の他方の垂下壁１３には、上記前面カバー２に組み付けられた掛け金５１に対応する位置に矩形の切欠き１３ａが設けられている。切欠き１３ａの長手方向の幅は、上記掛け金５１の係止爪５１ｄの長手方向の幅よりも所定量だけ大きい。切欠き１３ａの下部には、当該切欠き１３ａを跨ぐようにして係止片５６がねじ止めにて組み付けられている。そして、前面カバー２を閉鎖した状態（図３及び図１１に示す状態）では、係止片５６と切欠き１３ａの内周縁とにより形成される開口部５６ａに、掛け金５１の係止爪５１ｄが垂下壁１３の内側から嵌まり込み、係止爪５１ｄが係止片５６に係合する。
【００４７】
このように、本実施形態の照明器具１００にあっては、前面カバー２が器具本体１の開口部１ａを閉鎖する位置にあるときに、掛け金５１の係止爪５１ｄが器具本体１の係止片５６に係合して前面カバー２が器具本体１に係止される（図３及び図１１参照）。この係止爪５１ｄの係止片５６への係合により、前面カバー２の回転が規制される。そして、このような閉鎖状態から、枠体２１の外側からプッシュ部５２ａを内側に向けて板ばね５５の弾性力に抗して押し込むと、図１２に示すように、掛け金５１が支持軸５３を中心として回転し、掛け金５１の係止爪５１ｄが器具本体１側の係止片５６から外れる。これにより器具本体１の内部が解放される。この開放時には、前面カバー２は器具本体１にヒンジ６，６を介してぶら下がった状態となるので、前面カバー２が落下するおそれはない。
【００４８】
一方、図４及び図１２に示す解放状態から、前面カバー２を器具本体１の開口部１ａを閉鎖する向きに回転させると、まずは、掛け金５１の略Ｖ字状の係止爪５１ｄの下面が器具本体１の係止片５６に当たり、この状態から前面カバー２をさらに回転させると、掛け金５１が回転して係止爪５１ｄの角部が係止片５６の内面（背面）にあたる。そして、前面カバー２をさらに回転させると、係止爪５１ｄの角部が係止片５６の内面（背面）に沿って上昇し、係止爪５１ｄが係止片５６の上端を超えた時点で、板ばね５５の弾性力によって係止爪５１ｄが開口部５６ａに嵌まり込むとともに、係止爪５１ｄが係止片５６に係合して、図３及び図１１の閉鎖状態に戻る。
【００４９】
以上の本実施形態の照明器具１００によれば、ラッチ式固定具５の掛け金５１の支持軸５３を支持する軸受片５４，５４をパッキン押え金具２６，２７，２８に一体形成するとともに、掛け金５１を付勢する弾性体として１つの板ばね５５を用いているので、上記した特許文献１に記載されたものと比べて、ラッチ式固定具５の部品点数及び組立工数を少なくすることができる。しかも、板ばね５５は、掛け金５１を回転可能に支持する支持軸５３とは個別に取り付けることが可能であるので、上記した特許文献１の構造（２つのねじりコイルばねに軸を通した状態で軸受片に組み付ける構造）と比べて組立作業が容易である。
【００５０】
−他の実施形態−
以上の実施形態では、天井面直付けタイプの照明器具について説明したが、本発明はこれに限られることなく、天井吊り下げ式の照明器具にも適用可能である。
【００５１】
以上の実施形態では、光源としてＬＥＤを用いた照明器具に本発明を適用した例について説明したが、本発明はこれに限られることなく、蛍光灯を光源とする照明器具にも適用可能である。
【産業上の利用可能性】
【００５２】
本発明は、室内照明や鉄道車輌の車内照明などの各種照明に用いられる照明器具に利用可能である。
【符号の説明】
【００５３】
１００  照明器具
１  器具本体
１ａ  開口部
１３  垂下壁
１３ａ  切欠き
２  前面カバー
２ａ  開口部
２１  枠体
２１ａ  前面壁
２１ｂ  傾斜壁
２１１ｂ  切欠き
２１ｃ  水平壁
２３  透光板
２４  パッキン
２５  パッキン押え金具
２５ａ  取付片
２５ｂ  垂下片
２６，２７，２８  パッキン押え金具
２６ａ，２７ａ，２８ａ  取付片
２６ｂ，２７ｂ，２８ｂ  垂下片
３  反射板
４  ＬＥＤ光源ユニット
４１  ＬＥＤ基板
４２  ＬＥＤ
５  ラッチ式固定具
５１  掛け金
５１ｄ  係止爪
５１ｅ  支持片
５１ｆ  軸孔
５２  プッシュ板
５２ａ  プッシュ部
５３  支持軸
５４  軸受片
５４ａ  軸受孔
５５  板ばね
５５ａ  取付板
５５ｂ  押圧板
５６  係止片
６  ヒンジ
【要約】
【課題】前面カバーを器具本体に固定するラッチ式固定具の部品点数及び組立工数を少なくすることが可能な構造の照明器具を提供する。
【解決手段】ラッチ式固定具５を、パッキン押え金具２６，２７に一体形成された軸受片５４，５４、器具本体１に設けられた係止片５６に係合可能な係止爪５１ｄを有するとともに、軸受片５４，５４に支持軸５３を介して支持され、係止爪５１ｄが係止片５６に係合する係合位置と係止爪５１ｄが係止片５６から外れる解除位置とに回転可能な掛け金５１、及び、掛け金５１を係合位置側に付勢する１つの板ばね５５とを備えた構造とすることで、部品点数及び組立工数を少なくする。また、板ばね５５は、掛け金５１を回転可能に支持する支持軸５３とは個別に取り付ける構造とすることにより、組立作業を簡単にする。
【選択図】図１１【図１】
0005895086.tif 000002
【図２】
0005895086.tif 000003
【図３】
0005895086.tif 000004
【図４】
0005895086.tif 000005
【図５】
0005895086.tif 000006
【図６】
0005895086.tif 000007
【図７】
0005895086.tif 000008
【図８】
0005895086.tif 000009
【図９】
0005895086.tif 000010
【図１０】
0005895086.tif 000011
【図１１】
0005895086.tif 000012
【図１２】
0005895086.tif 000013